(57)【要約】【課題】ポップアップ表示形式を採用したものでありながら、設定操作後や操作キャンセルのために下位層表示から最上位層表示へと表示復帰或いは表示切替を容易に操作することができる操作装置を提供する。【解決手段】設定情報を表示した複数の表示枠を階層的にずらしてポップアップ表示し且つ最上位階層以外の階層表示をキャンセルするための取消ボタン６ｂを表示する表示パネル６と、表示パネル６の表示状態に基づいて操作を実行する操作部と、取消ボタン６ｂが操作されたことを検知して最上位階層以外の階層表示をキャンセルする制御回路部と、を備えている。【選択図】      図３
2008305273.tif 000002
【特許請求の範囲】
【請求項１】
設定情報を表示した複数の表示枠を階層的にずらしてポップアップ表示し且つ最上位階層以外の階層表示をキャンセルするための取消ボタンを表示する表示パネルと、該表示パネルの表示状態に基づいて操作を実行する操作部と、前記取消ボタンが操作されたことを検知して最上位階層以外の階層表示をキャンセルする制御回路部と、を備えていることを特徴とする操作装置。
【請求項２】
前記制御回路部は、前記取消ボタンを前記表示パネルの同一箇所に常時表示することを特徴とする請求項１に記載の操作装置。
【請求項３】
前記制御回路部は、前記取消ボタンを現在階層の表示よりも優先的に独立して上位層的に表示することを特徴とする請求項１又は請求項２に記載の操作装置。
【請求項４】
前記制御回路部は、前記取消ボタンの近傍の前記表示パネルに、階層毎に対応した階層選択ボタンを表示することを特徴とする請求項１乃至請求項３に記載の操作装置。
【請求項５】
請求項１乃至請求項４の何れか１項に記載の操作装置を備えていることを特徴とする電子機器。
【請求項６】
ポップアップ形式で階層表示する表示パネルの表示状態を利用して操作部による操作か否かを判断する操作判断ステップと、
操作判断ステップで操作部による操作があったと判断した場合に、その操作内容が表示パネルに表示された階層毎に共通の取消ボタンの操作であったか否かを判断する取消操作判断ステップと、
取消操作判断ステップで取消ボタンの操作であったと判断した場合に、前記表示パネルに表示されている全階層表示のうち最上位階層の表示以外の表示をキャンセルするキャンセルステップと、
をコンピュータに実行させるための操作プログラム。
【発明の詳細な説明】
【技術分野】
【０００１】
本発明は、設定情報を表示した複数の表示枠を階層的にずらしてポップアップ表示する表示パネルと、該表示パネルの表示状態に基づいて操作を実行する操作部と、を備えた操作装置、及びこの操作装置を備えた電子機器並びに操作プログラムに関する。
【背景技術】
【０００２】
従来から、各種電子機器等には、各種設定状態や設定項目等の設定情報に関する表示枠を表示する表示パネルと、この表示パネルに表示された設定情報に基づいて操作を実行する操作部と、を備えた操作装置を設けたものが周知である。
【０００３】
尚、このような操作装置には、表示パネルに操作ボタンを一体化したタッチパネル方式の操作部や、表示パネルに表示された各種表示ボタンをマウス等で選択することにより操作を実行する操作部、或いは、タッチパネル方式の表示パネルとボタンスイッチ等の操作ボタン部とを併用した操作部等がある。
【０００４】
また、このような操作装置に設けられた表示パネルは、電子機器本体や操作装置の大きさに制約があるため、表示面積の小さいものを設置せざるを得ない場合がある。
【０００５】
従って、このような表示面積に制約のある表示パネルを用いて各種設定状態等を表示するためには、設定項目等を分類分けすると共にその分類毎に表示状態を切り替える階層表示を行う表示パネルが知られている（例えば、特許文献１参照。）。
【０００６】
この特許文献１に開示の技術は、小さい表示面積を有効に利用するため、下位層の表示を行う際には、上位層の表示に完全に重ねて、即ち、全画面表示状態で階層的に表示している。
【０００７】
また、特許文献１に開示の技術では、表示パネルに階層表示を行う際に、上位層の表示に下位層の表示を完全に重ねた全画面表示としたことにより、設定階層が何段目なのかが判らなくなってしまった場合には、全画面表示では１段階づつ表示階層を戻るか、全段階をキャンセルしてメイン表示に戻るかの何れの操作を行うしか対応ができなかった。
【０００８】
そこで、このような階層表示を行うに際して、各階層の表示枠を表示パネルの表示面積よりも小さく設定し、同一面積の表示枠を下位層に向う毎に上位層の表示枠からずらしたり、下位層の表示枠を上位層の表示枠よりも小さい面積として上位層の表示枠に重ねて表示するといったポップアップ表示形式を採用することにより、現在表示中の設定階層が何段目なのかを容易に認識することができる。
【特許文献１】特開２０００−２６７７２１号公報
【発明の開示】
【発明が解決しようとする課題】
【０００９】
ところが、上記の如く構成された操作装置にあっては、ポップアップ表示形式を採用した場合、特許文献１に開示のように、各階層の表示毎に１段階ずつ上位層に戻るための『戻る』ボタン（タッチパネル方式での直接操作やマウス操作によりボタン機能を選択）や、全階層をキャンセルしてメイン設定画面表示に戻るための『取消』ボタンを設けた場合、下位層の表示枠から上位層の『戻る』ボタンや『取消』ボタンの一部又は全部が見えていた場合、上位層の『戻る』ボタンや『取消』ボタンを選択しても操作は実行されないため、『戻る』或いは『取消』操作が混乱するといった問題が生じていた。
【００１０】
そこで、本発明は、上記事情を考慮し、ポップアップ表示形式を採用したものでありながら、設定操作後や操作キャンセルのために下位層表示から最上位層表示へと表示復帰或いは表示切替を容易に操作することができる操作装置を提供することを目的とする。
【００１１】
また、下位層表示から任意の上位層表示へと階層飛び越えて直接表示切替することができる操作装置を提供することを目的とする。
【課題を解決するための手段】
【００１２】
本発明の操作装置は、設定情報を表示した複数の表示枠を階層的にずらしてポップアップ表示し且つ最上位階層以外の階層表示をキャンセルするための取消ボタンを表示する表示パネルと、該表示パネルの表示状態に基づいて操作を実行する操作部と、前記取消ボタンが操作されたことを検知して最上位階層以外の階層表示をキャンセルする制御回路部と、を備えていることを特徴とする。
【００１３】
この際、前記制御回路部は、前記取消ボタンを前記表示パネルの同一箇所に常時表示することが好ましく、前記取消ボタンを現在階層の表示よりも優先的に独立して上位層的に表示することが好ましい。
【００１４】
また、前記制御回路部は、前記取消ボタンの近傍の前記表示パネルに、階層毎に対応した階層選択ボタンを表示しても良い。
【００１５】
また、本発明は請求項１乃至請求項４の何れか１項に記載の操作装置を備えている電子機器とすることができる。
【００１６】
さらに、本発明の操作プログラムは、ポップアップ形式で階層表示する表示パネルの表示状態を利用して操作部による操作か否かを判断する操作判断ステップと、操作判断ステップで操作部による操作があったと判断した場合に、その操作内容が表示パネルに表示された階層毎に共通の取消ボタンの操作であったか否かを判断する取消操作判断ステップと、取消操作判断ステップで取消ボタンの操作であったと判断した場合に、前記表示パネルに表示されている全階層表示のうち最上位階層の表示以外の表示をキャンセルするキャンセルステップと、をコンピュータに実行させることを特徴とする。
【発明の効果】
【００１７】
本発明の操作装置は、ポップアップ表示形式を採用したものでありながら、設定操作後や操作キャンセルのために下位層表示から最上位層表示へと表示復帰或いは表示切替を容易に操作することができる操作装置を提供することを目的とする。
【００１８】
また、下位層表示から任意の上位層表示へと階層飛び越えて直接表示切替することができる操作装置を提供することを目的とする。
【発明を実施するための最良の形態】
【００１９】
次に、本発明の一実施形態に係る操作装置について、図面を参照して説明する。
【００２０】
図１は本発明の一実施形態に係る操作装置を備えた電子機器としての画像形成装置（複合機）の正面図、図２は本発明の一実施形態に係る操作装置のブロック図、図３は本発明の一実施形態に係る操作装置の表示切替例の説明図、図４は本発明の一実施形態に係る操作装置の制御例のフロー図、図５は本発明の一実施形態に係る操作装置の他の表示切替例の説明図である。
【００２１】
図１に示すように、本発明の一実施形態に係る操作装置を備えた電子機器としての画像形成装置（複合機）１は、装置本体２の正面から引き出し可能な給紙カセット３，４と、複写機・ファクシミリ・スキャナの各種機能として原稿を読み取る際に使用する自動原稿送り装置（ＡＤＦ）５と、タッチパネル方式の表示パネル６と、テンキー等の操作ボタン群７とを備えている。
尚、本実施の形態では、表示パネル６と操作ボタン群７とは、各種機能等の設定・選択操作を併用して行う操作部Ｓを構成している。
【００２２】
表示パネル６は、図２に示すように、表示機能（表示ドライバ）とタッチパネル機能（スイッチドライバ）とを表示パネル部８とタッチパネル部９とで機能的に分割しており、表示パネル６の表示に関する表示パネル部８は表示制御回路部１０に制御され、表示パネル６の操作（タッチパネル方式による操作）に関するタッチパネル部９はタッチパネル制御回路部１１にそれぞれ制御される。
【００２３】
また、表示制御回路部１０とタッチパネル制御回路部１１とで制御する表示プログラム並びに操作プログラムは、記憶回路部１２に格納されている。
【００２４】
尚、この記憶回路部１２には、画像形成処理を実行するための画像形成処理部１３を制御回路部（ＣＰＵ）１４で制御するための制御プログラム等も格納されている。
【００２５】
従って、制御回路部（ＣＰＵ）１４は、ＲＯＭ等の記憶回路部１２に格納された各種制御プログラムに基づいて表示制御回路部１０及びタッチパネル制御回路部１１を含めた画像形成処理全般に係わる制御を行う。また、記憶回路部１２には、本発明の操作装置の表示制御に係わる制御プログラムも格納されているため、この制御プログラムを実行する表示制御回路部１０及びタッチパネル制御回路部１１を含む制御回路部１４とでマイクロコンピュータを構成している。尚、画像形成処理を実行する際の画像データ等は、この記憶回路部１２とは別のＲＡＭ又はＨＤＤ等の記憶媒体（図示せず）に一時的に記憶される。
【００２６】
タッチパネル制御回路部１１は、入力部１５によってタッチ入力を受け付け、位置検出部１６によってタッチ位置を検出し、位置判断部１７によってタッチ位置に対応した操作内容等を判断する。
【００２７】
一方、表示パネル６には、図３（最上段）に示すように、最上位層の表示状態としてのメイン画面（システムメニュー）６ａが全画面表示されている。また、メイン画面６ａには、例えば、アイコンやロゴ等で置き換えた取消ボタン６ｂが表示されている。そして、例えば、このメイン画面６ａに表示されている各種設定ボタン（ここでは『設定１』『設定２』『設定３』『設定４』『設定５』『設定６』『設定７』『設定８』と略記）をタッチパネル方式で選択（例えば、『設定２』）すると、メイン画面６ａよりも表示面積の小さい第１下位層の設定画面（『設定２』画面）６ｃがメイン画面６ａに重畳表示（ポップアップ表示）される（図３の２段目）。
【００２８】
この際、取消ボタン６ｂは、設定画面６ｃ用の取消ボタンとして兼用されており、設定画面６ｃよりも上位層的に表示されている。
【００２９】
また、この設定画面６ｃに表示されている各種設定ボタン（ここでは『設定２−１』『ネットワーク』『設定２−３』『戻る』と略記）をタッチパネル方式で選択（例えば、『ネットワーク』）すると、設定画面６ｃと略同一表示面積の第２下位層の設定画面（『ネットワーク』画面）６ｄが設定画面６ｃよりすこしズレた位置で重畳表示（ポップアップ表示）される（図３の３段目）。
【００３０】
この際、取消ボタン６ｂは、設定画面６ｄ用の取消ボタンとして兼用されており、設定画面６ｄよりも上位層的に表示されている。
【００３１】
さらに、この設定画面６ｄに表示されている各種設定ボタン（ここでは『設定』『確認』『戻る』と略記）をタッチパネル方式で選択（例えば、『設定』）すると、各画面６ａ，６ｃ，６ｄよりも表示面積の小さい最下位層の設定画面（『ネットワーク設定』画面）６ｅが設定画面６ｄに重畳して表示される（図３の最下段）。
【００３２】
この際、取消ボタン６ｂは、設定画面６ｅ用の取消ボタンとして兼用されており、設定画面６ｄよりも上位層的に表示されている。
【００３３】
従って、取消ボタン６ｂは、一つの表示ボタンで複数階層で兼用されており、常に同じ箇所に表示されている。
【００３４】
これにより、設定等により下位層へと移行した表示中の何れのタイミングにおいても、操作をキャンセルしたい場合には、この取消ボタン６ｂをタッチパネル方式で押下することにより、メイン画面６ａを除く表示中の全階層の表示が消去される（図３の最上段に戻る）こととなる。
【００３５】
以下、表示制御回路部１０並びタッチパネル制御回路部１１による制御例を図４のフロー図を参照しつつ説明する。
【００３６】
（ステップＳ１）
ステップＳ１では、制御回路部１４は、タッチパネル部９のタッチ操作があったか否かを判断し、タッチ操作があったと判断した場合にはステップＳ２へと移行し、タッチ操作が無かったと判断した場合には引き続きこのルーチンを監視する。
【００３７】
（ステップＳ２）
ステップＳ２では、制御回路部１４は、タッチパネル部１４のタッチ操作がロゴ領域、即ち、取消ボタン６ｂのタッチ操作であったか否かを判断し、取消ボタン６ｂのタッチ操作があったと判断した場合にはステップＳ３へと移行し、取消ボタン６ｂのタッチ操作がなかったと判断した場合にはステップＳ４へと移行する。
【００３８】
（ステップＳ３）
ステップＳ３では、制御回路部１４は、取消ボタン６ｂのタッチ操作であったため、メイン画面６ａを除く表示されていた全階層の表示画面（例えば、設定画面６ｃ〜６ｅ）の表示を表示制御回路部１０にキャンセルさせてこのルーチンを終了する。
【００３９】
（ステップＳ４）
ステップＳ４では、制御回路部１４は、取消ボタン６ｂ以外のタッチ操作であったため、その操作ボタンに応じた操作内容の操作をタッチパネル制御回路部１１に実行させると共に、表示状態の切り替えを表示制御回路部１０に実行させる。
【００４０】
ところで、上記実施の形態では、取消ボタン６ｂとしてのロゴマークを常に最上位表示していたものを開示したが、例えば、図５に示すように、取消ボタン６ｂの下方、即ち、下位層の画面が重畳しない位置に、階層選択ボタン６ｆを階層毎に増やして表示しても良い。この場合、例えば、設定画面６ｃ，６ｄの『戻る」ボタンを操作しての１段ずつの上位層への復帰表示とは別に、この階層選択ボタン６ｆを選択的にボタン操作することにより、直接選択した上位層への復帰表示とすることも可能である。また、各設定画面６ｃ，６ｄの下位層の設定画面６ｄ，６ｅからはみ出している部分を階層選択ボタン６ｆと同様に選択することにより、直接選択した上位層への復帰表示とすることも可能である。尚、この復帰表示は、選択した設定画面６ｃ，６ｄを選択した時点で、その選択画面よりも下位層の設定画面６ｄ，６ｅは表示キャンセルされる。
【００４１】
このように、本発明の操作装置によれば、タッチパネル方式の表示パネル６に階層化されたメニュー等を表示する際、何れの下位層であっても一回の取消ボタン操作で最上位のメイン画面６ａに戻れる機能を備えていると共に、その取消ボタン６ｂを一つで階層毎に兼用し、しかも、同一箇所での常時表示としたことにより、直感的な判断で、容易に表示状態を一括してキャンセルすることができる。
【００４２】
ところで、上記実施の形態では、本発明の操作装置を画像形成装置に適用して説明したが、例えば、タッチパネル方式等の操作と表示とを関連付けしてポップアップ表示する電子機器（例えば、電磁調理器）における表示形態全般に適用することができることは勿論である。
【００４３】
尚、本発明の操作装置は、表示パネルに操作ボタンを一体化したタッチパネル方式の操作部や、表示パネルに表示された各種表示ボタンをマウス等で選択することにより操作を実行する操作部、或いは、タッチパネル方式の表示パネルとボタンスイッチ等の操作ボタン部とを併用した操作部等の何れにおいても適用することができる。
【図面の簡単な説明】
【００４４】
【図１】本発明の一実施形態に係る操作装置を備えた電子機器としての画像形成装置（複合機）の正面図である。
【図２】本発明の一実施形態に係る操作装置のブロック図である。
【図３】本発明の一実施形態に係る操作装置の表示切替例の説明図である。
【図４】本発明の一実施形態に係る操作装置の制御例のフロー図である。
【図５】本発明の一実施形態に係る操作装置の他の表示切替例の説明図である。
【符号の説明】
【００４５】
６…表示パネル
６ａ…メイン画面
６ｂ…取消ボタン
６ｃ…設定画面（表示枠）
６ｄ…設定画面（表示枠）
６ｅ…設定画面（表示枠）
９…タッチパネル部（操作部）
１４…制御回路部
【図１】
2008305273.tif 000003
【図２】
2008305273.tif 000004
【図３】
2008305273.tif 000005
【図４】
2008305273.tif 000006
【図５】
2008305273.tif 000007